(57)【特許請求の範囲】
【請求項１】
建物の垂直荷重を支持しない間仕切壁と、
天井をその端部より内周側の部分で吊支し、前記間仕切壁の上端部よりも低い位置に前記天井を配置する吊りボルトと、
前記吊りボルトの吊り元より低位置で、かつ前記天井の端部の上方に位置させて前記間仕切壁に固定されたブラケットと、
前記ブラケットに固定されて、前記吊りボルトの吊り元と前記ブラケットとを連結するブレースと、
を備えることを特徴とする間仕切壁の耐震支持構造。
【請求項２】
前記間仕切壁が軽量鉄骨からなるスタッドにボードを張り付けたものであり、前記ブレースの一端が前記ブラケットを介して前記スタッドに結合されたものであることを特徴とする請求項１に記載の間仕切壁の耐震支持構造。
【請求項３】
前記天井は、前記間仕切壁に前記端部を接触させていることを特徴とする請求項１又は２に記載の間仕切壁の耐震支持構造。
【請求項４】
前記天井は、前記間仕切壁にクリアランスを設けず直接前記端部を接触させていることを特徴とする請求項１又は２に記載の間仕切壁の耐震支持構造。
【発明の詳細な説明】
【技術分野】
【０００１】
本発明は、建物の間仕切壁に関し、特に間仕切壁の耐震性能を高める技術に関する。
【背景技術】
【０００２】
鉄筋コンクリート造や鉄骨造の建物の天井には、吊り天井が多く用いられている。この種の吊り天井において耐震性を高めるための一般的な考え方は、吊りボルトにブレースを設置して揺れにくくすると共に、天井の外周端部と壁との間に十分なクリアランスをとることによって、地震時に天井と壁が衝突しないようにするというものである。
【０００３】
図４は、従来の技術による天井と壁の取り合い部分を示すもので、躯体スラブ１００に、多数の吊りボルト２０１によって天井２００が吊り下げられている。この天井２００は、天井下地材２０２及びその下面に取り付けられた天井パネル２０３からなり、天井下地材２０２は、吊りボルト２０１の下端にハンガー２０４を介して結合され水平かつ互いに平行に並設された複数の野縁受け２０５と、この野縁受け２０５の下側に直交して結合され水平かつ互いに平行に並設された複数の野縁２０６からなり、天井パネル２０３が、この野縁２０６の下面にビス等によって取り付けられている。
【０００４】
そして図中に破線で示すように、吊りボルト２０１の上部とこれに隣接する吊りボルト２０１の下部又は野縁受け２０５との間に、斜材であるブレース２０７を設置すると共に、天井２００の端部と壁３００との間に十分なクリアランスδが設定されている。
【０００５】
しかしながら、天井裏空間Ｓ２における空調等の設備機器の配置によっては、計算上必要なブレース２０７を設けることができない場合があり、あるいはクリーンルームなどのように、天井２００の下の室内空間Ｓ１の使用条件によっては十分なクリアランスδを設定することができない場合がある。そしてこのような場合は、天井２００が地震発生時に大きく横揺れして、その端部が壁３００に衝突し、その衝撃によって天井パネル２０３が野縁２０６から脱落したり、あるいは天井下地材２０２における野縁２０６や野縁受け２０５が脱落したりするおそれがある。
【０００６】
一方、図５に示すように、天井２００と壁３００との間にクリアランスを設けず、地震等による水平方向の荷重を天井２００の端部から壁３００に直接伝達することによって、天井２００の耐震性を確保するという方法もある。すなわち天井２００の揺れをブレースによって押さえるのではなく、天井２００と壁３００とを接触させておくことで天井２００の揺れを抑えるものであり、天井裏空間Ｓ２における空調等の設備機器の配置スペースを十分に確保することができる。
【０００７】
このような構造において、壁３００が、建物の垂直荷重を支持せず、一定間隔で配置された軽量鉄骨からなるスタッド３０２を下地材としてその両面に石膏ボード３０１を張った間仕切壁であるような場合は、地震等による天井２００からの水平方向の荷重が、石膏ボード３０１から内側のスタッド３０２、及びその上下のランナ３０３を経て構造躯体（躯体スラブ１００）へと伝達されるため、天井２００からの水平方向の荷重によって間仕切壁３００が損傷しないようにする必要がある。
【０００８】
このような間仕切壁３００の耐力を増大させるには、スタッド３０２の断面性能を上げることや、スタッド３０２の配置間隔を小さくすることによって本数を増やすことなどが考えられるが、必要な耐力が得られないことも想定される。そして間仕切壁３００の剛性が低い場合には、地震等による天井２００からの水平方向の荷重を受けたときの変形が大きくなり、変形によって天井２００との間に隙間を生じて天井２００と間仕切壁３００の衝突現象が生じ、衝撃力が大きくなるおそれがある。
【先行技術文献】
【特許文献】
【０００９】
【特許文献１】特開２００９−１６７７３７号公報
【特許文献２】特開２００１−１６４６７８号公報
【発明の概要】
【発明が解決しようとする課題】
【００１０】
本発明は、以上のような点に鑑みてなされたものであって、その技術的課題は、地震等における天井との衝突による間仕切壁の損傷を防止することにある。
【課題を解決するための手段】
【００１１】
本発明に係る間仕切壁の耐震支持構造の一態様は、鉛直に設置されて建物の垂直荷重を支持しない間仕切壁と、天井をその端部より内周側の部分で吊支し、前記間仕切壁の上端部よりも低い位置に前記天井を配置する吊りボルトと、前記吊りボルトの吊り元より低位置で、かつ前記天井の端部の上方に位置させて前記間仕切壁に固定されたブラケットと、前記ブラケットに固定されて、前記吊りボルトの吊り元と前記ブラケットとを連結するブレースと、を備える。
【００１２】
なお、ここでいう吊りボルトの吊り元とは、吊りボルトの上部、又は吊りボルトの上端部とスラブとの固定部のことである。
【００１３】
本発明に係る間仕切壁の耐震支持構造の別の一態様は、前記間仕切壁が軽量鉄骨からなるスタッドにボードを張り付けたものであり、前記ブレースの一端が前記ブラケットを介して前記スタッドに結合されたものである。
【発明の効果】
【００１４】
本発明に係る間仕切壁の耐震支持構造によれば、天井を吊支する吊りボルトの吊り元と間仕切壁をブレースで斜めに連結することによって、間仕切壁の剛性及び耐力が増大するため、地震等による天井からの水平方向の荷重を受けたときの間仕切壁の変形を抑制することができる。
【００１５】
特に、間仕切壁が軽量鉄骨からなるスタッドにボードを張り付けたものである場合に、ブレースの一端をスタッドに結合することによって、スタッドの断面性能や本数等に依存することなく間仕切壁の剛性を顕著に向上させることができる。
【図面の簡単な説明】
【００１６】
【図１】本発明に係る間仕切壁の耐震支持構造の好ましい実施の形態を示す要部鉛直断面図である。
【図２】本発明に係る間仕切壁の耐震支持構造の好ましい実施の形態を示す要部平面図である。
【図３】本発明に係る間仕切壁の耐震支持構造の好ましい他の実施の形態を示す要部鉛直断面図である。
【図４】従来の技術に係る間仕切壁の耐震支持構造の一例を示す部分鉛直断面図である。
【図５】従来の技術に係る間仕切壁の耐震支持構造の他の例を示す部分鉛直断面図である。
【発明を実施するための形態】
【００１７】
以下、本発明に係る間仕切壁の耐震支持構造の好ましい実施の形態について、図面を参照しながら説明する。まず図１及び図２に示す実施の形態において、参照符号１は鉄筋コンクリート等からなる躯体スラブ、参照符号２は天井、参照符号３は間仕切壁、参照符号４はブレースである。
【００１８】
天井２は吊り天井の形態を有するものであって、すなわち躯体スラブ１に垂設した多数（図１及び図２では２本のみ示す）の吊りボルト２１（２１１，２１２）の下端に吊金具であるハンガー２２を介して複数（図１及び図２では１本のみ示す）の野縁受け２３を水平かつ互いに平行に吊支し、この野縁受け２３の下に、結合金具であるクリップ２４を介して複数の野縁２５を野縁受け２３と直交するように、水平かつ互いに平行に取り付けることによって、格子状の天井下地材２０を構築し、野縁２５の下面に耐火ボードからなる多数の天井パネル２６を互いに縦横に並べて敷き詰めた状態に取り付けた構造を有する。
【００１９】
間仕切壁３は、上下の端部（図１では上端部のみ示す）が金属からなるランナ３２及び不図示のアンカー等を介して躯体スラブ１に固定された軽量鉄骨（軽量形鋼）等からなるスタッド３１の両面に、石膏ボード３３をビス等で張り付けて構成されている。ランナ３２は図１に示す断面と直交する方向（水平方向）へ延びており、スタッド３１は鉛直に延び、図１に示す断面と直交する方向へ所定間隔で配置されている。
【００２０】
天井２は天井パネル２６の外周端部２６ａ又は天井下地材２０の外周端部（野縁受け２３又は野縁２５の端部）２０ａが間仕切壁３の石膏ボード３３と接触している。
【００２１】
ブレース４は形鋼からなるものであって、その一端４ａが、天井２の端部より適宜内周側の部分を吊支する吊りボルト２１２、すなわち図示の例では天井２の最も外周側に位置する吊りボルト２１１の内周側に隣接する吊りボルト２１２の吊り元（吊りボルト２１２の上部、又は躯体スラブ１における吊りボルト２１２の上端部の埋設部）Ａに、ブレース取付金具４１及び螺子部材４２等を介して結合されており、他端４ｂが、前記吊り元Ａより低位置にあって、間仕切壁３における天井２の端部（天井パネル２６の外周端部２６ａ又は天井下地材２０の外周端部２０ａ）との接触部の上側の位置に螺子部材４４を介して取り付けられた金属製のブラケット４３に、螺子部材４５を介して結合されている。
【００２２】
ブラケット４３を間仕切壁３に固定している螺子部材４４としては、間仕切壁３のスタッド３１への穴あけ機能とその穴の内面へのネジ立て機能、及び螺合締結機能を有するドリリングタッピンネジを用い、あるいはスタッド３１に予め下穴を穿孔してその穴にねじ込まれるボルトを用いることによって、強固に結合することができる。
【００２３】
また、天井２は間仕切壁３との間にクリアランスを設けず、互いに接触させるタイプであるため、天井２の揺れを規制するためのブレースは設けないか、あるいはその本数が少ないもので良い。
【００２４】
以上のように構成された実施の形態によれば、天井２の端部（天井パネル２６の外周端部２６ａ又は天井下地材２０の外周端部２０ａ）が、間仕切壁３と接触しているため、地震等によって天井２に生じる水平力は、天井パネル２６の外周端部２６ａ又は天井下地材２０の外周端部２０ａからこれに接触している間仕切壁３の石膏ボード３３を介してスタッド３１へ伝達され、スタッド３１へ伝達された水平力は、ランナ３２を介して躯体スラブ１へ伝達される一方、ブラケット４３及び螺子部材４４，４５、ブレース４、ブレース取付金具４１及び螺子部材４２を介して躯体スラブ１へ伝達される。すなわち、天井２と間仕切壁３が一体的に変位するので、天井２と間仕切壁３の衝突が有効に防止される。
【００２５】
また、下地材であるスタッド３１の上下端がランナ３２を介して躯体スラブ１に固定された間仕切壁３は、天井２の端部との接触部との隣接位置が、ブレース４を介して吊りボルト２１２の上部、又は躯体スラブ１における吊りボルト２１２の上端部の埋設部に連結されているため、間仕切壁３の剛性及び耐力が増大し、躯体スラブ１との固定力も増大する。したがって、地震等による天井２からの水平方向の荷重を受けたときの間仕切壁３の変形が抑制され、このため間仕切壁３と天井２の端部との間に隙間を生じにくくなって、天井２の衝突によって間仕切壁３の石膏ボード３３などが損傷したり、天井パネル２６が野縁２５から脱落して落下したり、あるいは野縁２５が天井パネル２６と共に脱落したりするのを防止して、安全性を確保することができる。
【００２６】
次に図３は、本発明に係る間仕切壁の耐震支持構造の好ましい他の実施の形態として、ブレース４にターンバックルを用いた例を示すものである。
【００２７】
すなわちこの実施の形態において、ブレース４は、天井２の最も外周側に位置する吊りボルト２１１の内周側に隣接する吊りボルト２１２の吊り元（吊りボルト２１２の上部、又は躯体スラブ１における吊りボルト２１２の上端部の埋設部）Ａに、上端がブレース取付金具４１等を介して結合された第一のブレース部材４６と、前記吊り元Ａより低位置にあって、間仕切壁３における天井２の端部（天井パネル２６の外周端部２６ａ又は天井下地材２０の外周端部２０ａ）との接触部の上側の位置に螺子部材４４を介して取り付けられた金属製のブラケット４３に、下端の取付プレート４７ａが螺子部材４５を介して結合された第二のブレース部材４７と、第一のブレース部材４６の下部に形成された螺子部４６ａ及び第二のブレース部材４７の上部に形成された螺子部４７ｂの双方に螺合されたターンバックル４８からなる。そして螺子部４６ａ，４７ｂは互いに逆螺子状に形成されているため、ターンバックル４８を適宜回転させることによって、螺子部４６ａ，４７ｂが互いに接近する方向又は互いに離間する方向へ移動するものである。
【００２８】
すなわち、この実施の形態によれば、ターンバックル４８によって、ブレース４の緊張力を適切に調整することができる。
【符号の説明】
【００２９】
１  躯体スラブ
２  天井
２１  吊りボルト
３  間仕切壁
３１  スタッド
３２  ランナ
３３  石膏ボード
４  ブレース
４１  ブレース取付金具
４３  ブラケット
４６  第一のブレース部材
４７  第二のブレース部材
４８  ターンバックル
Ａ  吊り元
【図１】
0006553859.tif 000002
【図２】
0006553859.tif 000003
【図３】
0006553859.tif 000004
【図４】
0006553859.tif 000005
【図５】
0006553859.tif 000006